(57)【特許請求の範囲】
【請求項１】
防音壁の支柱の上端で、二本の支柱に跨がって固定配置される防音装置の取付け構造であって、
各支柱の上端に、水平舌片と垂直舌片とを具える二個のアングルブラケットのそれぞれを、各水平舌片によって固定して、両アングルブラケットの垂直舌片のそれぞれを背中合わせに直立させるとともに、両垂直舌片のそれぞれに設けたボルト孔を相互に整列させて位置させ、道路側および民地側のそれぞれに面するそれらの垂直舌片の民地側の表面に、前記ボルト孔と対応して位置するねじ部材を具える締付けプレートを配設し、防音装置の両端部の端部平坦プレートを、それぞれの支柱上の両垂直舌片に、道路側からの前記ねじ部材へのねじ止めによって締付け固定可能としてなる防音装置の取付け構造。
【請求項２】
ねじ部材を具える締付けプレートを、それぞれの垂直舌片を一体的に挟み込むクリップ状の折れ曲がり部材により構成してなる請求項１に記載の防音装置の取付け構造。
【請求項３】
ねじ部材を具える締付けプレートを、それぞれの垂直舌片の民地側の表面に固定もしくは固着される平坦部材により構成してなる請求項１に記載の防音装置の取付け構造。
【請求項４】
締付けプレートのねじ部材を雌ねじ部材としてなる請求項２もしくは３に記載の防音装置の取付け構造。
【請求項５】
締付けプレートのねじ部材を雄ねじ部材としてなる請求項３に記載の防音装置の取付け構造。
【発明の詳細な説明】
【技術分野】
【０００１】
この発明は、道路、鉄道、工場等で発生する騒音の低減を目的として、防音壁の上端、なかでも、防音壁の支柱の上端に固定配置される防音装置の取付け構造に関するものであり、とくには、安価な構造にして、現場施工性を向上させた技術を提案するものである。
【背景技術】
【０００２】
従来のこの種の取付け構造としては、たとえば、特許文献１に開示されたものである。
これは、防音壁の上部に、その防音壁に沿ってレールを敷設し、このレールに防音装置を取付ける構造において、支柱上に、防音壁に沿って敷設したレール側もしくは防音装置側のいずれか一方に、ボルトもしくはナット等の螺合手段を回り止めした状態で挿入すると共に長手方向に沿って移動可能とするための桶状の溝を設け、
前記レール側もしくは防音装置側の他方に、挿入された、前記ボルトもしくはナット等の螺合手段を螺合するための孔を設け、
前記ボルトもしくはナット等の螺合手段にナットもしくはボルト等の螺合手段で螺合して前記レール側に各防振装置側を固定するものであって、
防音装置側もしくはレール側の長手方向の一辺に形成した嵌合溝で防音装置側とレール側の各一辺側が嵌合されるとともに
防音装置側およびレール側の他辺側がボルトもしくはナット等の螺合手段により取り付けられるものである。
【特許文献１】特開２０００−１１０１１９号公報
【発明の開示】
【発明が解決しようとする課題】
【０００３】
しかるに、この従来技術にあっては、支柱間の全長にわたって、アルミニウム型材からなるレールを敷設する必要上、現場での施工工数が嵩むことになる他、レールコストが嵩むことになり、しかも、防音装置側とレール側の各一辺側を嵌合させるための構造部品にもまたアルミニウム型材が必要になることから、コストのさらなる増加、および部品点数の増加が不可避となり、さらには、上記の嵌合の実現のためには、防音装置それ自体を民地側がら道路側へ変位させて嵌合溝をレールの一辺に嵌め合わせることが必要になって、作業員の、民地側での作業が必須となるため、施工性の一層の低さが否めない他、民地側での高所作業に伴う安全性に対する懸念があった。
【０００４】
この発明は、従来技術が抱えるこのような問題点を解決することを課題としてなされたものであり、それの目的とするところは、所要の防音装置を、すぐれた施工性の下で安全に固定配置することができる、簡単にして安価な防音装置の取付け構造を提供するにある。
【課題を解決するための手段】
【０００５】
この発明に係る防音装置の取付け構造は、一体的な連結構造体になる防音装置を、防音壁の支柱の上端で、二本の支柱に跨がって固定配置するものであり、各支柱の上端に、水平舌片と垂直舌片とを具える二個のアングルブラケットのそれぞれを、各水平舌片によって固定して、両アングルブラケットの垂直舌片のそれぞれを、背中合わせに密着させて、または若干の隙間をおいて直立させるとともに、両重直舌片のそれぞれに設けたボルト孔を相互に整列させて位置させ、道路側および民地側のそれぞれに面するそれらの垂直舌片の表面に、前記ボルト孔と対応して位置する、雄ねじもしくは雌ねじ部材を具える締付けプレートを配設し、防音装置の両端部に設けた端部平坦プレートを、それぞれの支柱上の両垂直舌片に、道路側からの前記ねじ部材への雌ねじもしくは雄ねじ部材のねじ止めによって締付け固定可能としてなるものである。
【０００６】
ここで好ましくは、ねじ部材を具える締付けプレートを、それぞれの垂直舌片を一体的に挟み込むクリップ状の折れ曲がり部材により構成する。
この一方で、ねじ部材を具える締付けプレートは、上述したところに代えて、それぞれの垂直舌片の民地側の表面に固定もしくは固着される平坦部材により構成することもできる。
【０００７】
そしてこれらのいずれの場合にあっても、締付けプレートのねじ部材は雌ねじ部材とすることができ、とくに後者の場合は、締付けプレートのねじ部材を、垂直舌片のボルト孔に貫通する雄ねじ部材とすることもできる。
【発明の効果】
【０００８】
この発明に係る防音装置の取付け構造では、二本の各支柱の上端に各一対のアングルブラケットをそれらの各水平舌片をもって固定するとともに、アングルブラケットの垂直舌片の民地側表面への締付けプレートの配設によって、二本の支柱上に掛け渡した防音装置の、前記垂直舌片への締付け固定を可能とすることで、部品点数の少ない簡単な構造の下で、防音装置の固定配設を簡易なものとして施工性を大きく改善することができる。
【０００９】
また、この取付け構造では、二本の支柱に跨って延びる、押出しもしくは引抜き型材からなるレールおよび、これもまた押出し型材等からなる嵌合溝部材等を不要とすることができるので、部品点数および部品コストを有効に低減させることができ、併せて、施工性の一層の向上をもたらすことができる。
【００１０】
さらにこの取付け構造では、防振装置の両端部の端部平坦プレートを、道路側からのねじ止めによって、それぞれの支柱上の両垂直舌片に締付け固定することができるので、防音装置の取付けのために、作業員が民地側に出て作業することが不要となって、施工性とともに安全性を大きく向上させることができる。
【００１１】
しかもこの取付け構造では、各支柱の上端に、対をなすアングルブラケットの各水平舌片を、相互の独立下で、ボルト・ナット等をもって個別に固定することにより、それらの両アングルブラケットを溶接等によって予め固着させるとともに、それに事後的に鍍金を施す場合に比し、溶接コスト等を不要とし、また、素材の供給時の亜鉛鍍金をそのまま利用できる利点がある。
【００１２】
このような取付構造において、ねじ部材を具える締付けプレートを、それぞれの垂直舌片を一体的に挟み込む、クリップ状の折れ曲がり部材によって構成したときは、支柱上に固定した一対のアングルブラケットの垂直舌片の上方側から、そのクリップ状の折れ曲がり部材を嵌め合わせて両垂直舌片を挟み付けるだけで、両アングルブラケットを直ちに一体的に関連づけることができる。
なおこの場合は、クリップ状の折れ曲がり部材の、ねじ部材の配設個所とは対抗する部分には、垂直舌片のボルト孔に整列するボルト孔が形成されていることはもちろんである。
【００１３】
ここで、ねじ部材が雌ねじ部材であるときは、道路側から、防音装置の端部平坦プレートのボルト孔および垂直舌片のボルト孔等を経て、折れ曲がり部材の雌ねじ部材に雄ねじ部材を螺合させてねじ込むことにより、締め付けプレートを垂直舌片に締め付けつつ、その端部平坦プレート、ひいては、防音装置を両垂直舌片に強固に締付け固定することができる。
ところで、防音装置のこのような締付け固定は、複数箇所での雄ねじ部材のねじ込みによって行うことが、締付け強度を高めるとともに、防音装置の位置精度を高め、また、複数の防音装置を連続的に設置する上で好ましい。
【００１４】
また、ねじ部材を具える締付けプレートは、上述したところに替えて、それぞれの垂直舌片の民地側の表面に固定もしくは固着される平坦部材によって構成することもでき、この場合もまた、上述したと同様に、締付けプレートを、防音装置の道路側からの締付け固定に十分に寄与させることができ、このことは、締付けプレートのねじ部材を雌ねじ部材にすると、雄ねじ部材にするとの別なく同様である。
【００１５】
なおここで、締付プレートのねじ部材を雄ねじ部材として、その締付プレートの固定もしくは固着状態で、雄ねじ部材の先端部分を垂直舌片のボルト孔から突出させて位置させたときは、防音装置の端部平坦プレートのボルト孔を、雄ねじ部材の突出先端部分に嵌め合わせることで、防音装置の位置決めを簡易・迅速に行うことができる。
【発明を実施するための最良の形態】
【００１６】
図１は、この発明の実施形態を、防音壁の支柱をそれの整列方向に見て示す側面図であり、図中１はＨ型鋼からなる支柱を示し、図では、この支柱１の左側が騒音の発生側としての道路側となり、図の右側が、発生騒音の低減を必要とする民地側となる。
【００１７】
図示のこの取付構造は、支柱１の上端に設けた一対の天端アングル２ａ，２ｂのそれぞれに、水平舌片と垂直舌片とを具える二個のアングルブラケット３，４のそれぞれの水平舌片３ａ，４ａを、たとえばボルト・ナット５，６によって固定して、両アングルブラケット３，４のそれぞれの垂直舌片３ｂ，４ｂを、たとえば背中合わせに密着させて直立させて位置させるとともに、両垂直舌片３ｂ，４ｂのそれぞれに設けたボルト孔３ｃ，４ｃを相互に整列させて位置させ、そして、道路側および民地側のそれぞれに面する取付姿勢のそれぞれの垂直舌片４ｂ，３ｂの民地側の表面、図では、垂直舌片３ｂの表面に、前記ボルト孔３ｃ，４ｃと対応して位置するねじ部材、たとえば雌ねじ部材７を具える締付けプレート８を配設し、これにより、二本の支柱１に跨がる防音装置９の両端部に設けた端部平坦プレート１０、たとえば、アングルの一方の折れ曲がり平坦部分を、道路側からの前記雌ねじ部材７への雄ねじ部材のねじ止めによって、それぞれの支柱１上の両垂直舌片３ｂ，４ｂに締付け固定可能としてなるものである。
【００１８】
なおこれがためには、防音装置９の端部平坦プレート１０が、ボルト孔３ｃ，４ｃに整列する図示しないボルト孔を有することが必要になる。
【００１９】
ところで、このような取付構造を実現するに当っては、はじめに、図２に例示するように、支柱１の天端アングル２ａ，２ｂのそれぞれに、図２（ｂ），（ｃ）に示すように、相互に別体になるアングルブラケット３の水平舌片３ａおよび、アングルブラケット４の水平舌片４ａのそれぞれをボルト・ナット５，６によって個別に固定して、それぞれの垂直舌片３ｂ，４ｂの、前述したような所要の背中合わせ姿勢をもたらす。
【００２０】
なお図中１１は落下防止ワイヤーを示し、この落下防止ワイヤー１１は、防音装置９に間接的に連結されて、防音装置９が破損等された場合の、それの不測の落下を防止するべく機能する。
ところで、図示の落下防止ワイヤーは、アングルブラット３の水平舌片３ａに貫通させて配置されて、端部にかしめ固定された大径部１１ａによってその水平舌片３ａに対して抜け止めされている。
【００２１】
また、図２（ｃ）中の１２は、天端アングル２ｂへのアングルブラケット４の取り付けに先だって、アングルブラケット３の水平舌片３ａにボルト・ナットによって取り付けた遮音板を示し、この遮音板１２は、防音装置９と同様に二本の支柱１間に延在して、防音装置９の下方側を通る騒音の洩出を防止するべく機能する。
【００２２】
それぞれのアングルブラケット３，４を上述したようにして取り付けた後は、図３に例示するようなクリップ状の折れ曲がり部材からなる締付けプレート８を、両垂直舌片３ｂ，４ｂの上端から嵌め合わせて、その締付けプレート８の雌ねじ部材７を、垂直舌片３ｂ，４ｂのボルト孔３ｃ，４ｃに対応させて位置させる。
なお、クリップ状の折れ曲がり部材にて構成されるこの締付けプレート８は、垂直舌片３ｂ，４ｂの道路側の表面、図では垂直舌片４ｂの表面上に位置することとなる部分に、垂直舌片３ｂ，４ｂのボルト孔３ｃ，４ｃと整列して位置するボルト孔８ａを有する。
【００２３】
このような取付構造によれば、防音装置９は、二本の支柱１に跨がる、型材からなるレール、これも型材からなる嵌合溝部材等を不要として、極めて簡単な構造の下で、防音装置９の端部平坦プレート１０を、道路側からのねじ止め作業だけによって、それぞれの支柱１上の垂直舌片３ｂ，４ｂに簡易・迅速に、しかも安全に締付け固定することができる。
【００２４】
そして、垂直舌片３ｂ，４ｂに以上のようにして締付け固定された防音装置９は、他の落下防止ワイヤー１３を介して、前記落下防止ワイヤ１１に連結される。
【００２５】
図４は、以上のようにして二本の支柱１に跨がって固定配置された防音装置９の取付状態を示す、道路側から見た正面図および平面図であり、図中１４は、隣接する防音装置９の隙間を隠すフロントカバーを、また１５は、隣接する防音装置９の端部平坦プレート１０間からの騒音の洩れを防ぐ、平坦な遮音板をそれぞれ示す。
【００２６】
図５は、締付けプレートの変形例を示す図であり、これは、図では雌ねじ部材７を具える締付けプレート１６を、それぞれの垂直舌片３ｂ，４ｂの民地側の表面、図では垂直舌片３ｂの表面に、たとえばボルト・ナット１７によって固定される平坦部材によって構成したものである。
なおこの平坦部材になる締付けプレート１６は、垂直舌片３ｂに溶接、接着等によって固着させることもできる。
【００２７】
ところで、図５に示すところでは、ねじ部材を雌ねじ部材７としているも、そのねじ部材を、雌ねじ部材７に替えて、垂直舌片３ｂ，４ｂのボルト孔３ｃ，４ｃに貫通する雄ねじ部材とすることもできる。
【００２８】
締付けプレートをこのように変更してなお、防音装置９は先の場合と同様にして締付け固定することができる。
【図面の簡単な説明】
【００２９】
【図１】この発明の実施形態を示す側面図である。
【図２】図１の取付構造の構成側を示す工程図である。
【図３】図１の取付構造に用いる締付けプレートを例示する図である。
【図４】防音装置の取付状態を示す図である。
【図５】締付けプレートの変形例を示す図である。
【符号の説明】
【００３０】
１  支柱
２ａ，２ｂ  天端アングル
３，４  アングルブラケット
３ａ，４ａ  水平舌片
３ｂ，３ｂ  垂直舌片
３ｃ，４ｃ，８ａ  ボルト孔
５，６，１７  ボルト・ナット
７  雌ねじ部材
８，１６  締付けプレート
９  防音装置
１０  端部平坦プレート
１１，１３  落下防止ワイヤ
１２，１５  遮音板
１４  フロントカバー
【図１】
0005014176.tif 000002
【図２】
0005014176.tif 000003
【図３】
0005014176.tif 000004
【図４】
0005014176.tif 000005
【図５】
0005014176.tif 000006